(57)【要約】      （修正有）【課題】照明領域を増すために複数のＬＥＤが球状に分布し、照明効率を確保するために、前記ＬＥＤにより発せられた熱を放散させることができる、広域照明のためのＬＥＤランプを提供する。【解決手段】広域照明のためのＬＥＤランプは、ランプベースと、該ランプベースに取り付けられた基板組立体２０と、該基板組立体を覆い、前記ベースと係合するキャップ３０とを有する。前記基板組立体は、交差する複数の基板を有する。複数のＬＥＤが、前記ＬＥＤランプが広角の照明をもたらすことを可能にする球形分布をなすように前記基板に取り付けられている。【選択図】図１
0003161215.tif 000002
【実用新案登録請求の範囲】
【請求項１】
ランプベースと、
前記ランプベースに取り付けられた基板組立体であって複数の基板と、各基板の同じ面に取り付けられ、球状に分布する複数の発光ダイオードとを有する基板組立体と、
前記基板組立体を覆い、前記ランプベースと係合するキャップとを含む、広域照明のためのＬＥＤランプ。
【請求項２】
前記基板は、ＬＥＤ取付け領域を有する上部と、該上部と一体をなし、前記上部から伸びる下部とを有し、前記発光ダイオードは前記ＬＥＤ取付け領域の周縁部に取り付けられている、請求項１に記載のＬＥＤランプ。
【請求項３】
前記基板は、それぞれが前記下部の縁部から伸びる複数のフィンを有する、請求項２に記載のＬＥＤランプ。
【請求項４】
前記上部は楕円形であり、前記下部は細長い、請求項２に記載のＬＥＤランプ。
【請求項５】
前記上部は楕円形であり、前記下部は細長い、請求項３に記載のＬＥＤランプ。
【請求項６】
前記基板は、少なくとも１つのスロットを有し、該スロットを用いて他の基板と交差している、請求項１に記載のＬＥＤランプ。
【請求項７】
前記基板組立体は、第１基板と、第２基板と、第３基板と、第４基板とを有し、
前記第１基板は、ＬＥＤ取付け領域を有する上部と、該上部と一体をなし、前記上部から伸びる下部と、該下部の下縁部から前記ＬＥＤ取付け領域へ伸びるスロットとを有し、
前記第２基板は、ＬＥＤ取付け領域を有する上部と、該上部と一体をなし、前記上部から伸びる下部と、該下部の下縁部から伸びる下方スロットと、該下方スロットより短く、前記ＬＥＤ取付け領域の上縁部から伸びる上方スロットとを有し、
前記第３基板は、ＬＥＤ取付け領域を有する上部と、該上部と一体をなし、前記上部から伸びる下部と、該下部の下縁部から伸びる下方スロットと、該下方スロットより長く、前記ＬＥＤ取付け領域の上縁部から伸びる上方スロットとを有し、
前記第４基板は、ＬＥＤ取付け領域を有する上部と、該上部と一体をなし、前記上部から伸びる下部と、前記ＬＥＤ取付け領域の上縁部から前記下部へ伸びるスロットとを有する、請求項２に記載のＬＥＤランプ。
【請求項８】
前記ランプベースは、頂面と、底面と、それぞれが前記頂面から上方へ突出する複数のフック部分と、前記底面に形成され、該底面から下方へ突出する、中空のネジ式プラグ部分とを有する取付け用ベース部材と、
前記ネジ式プラグ部分の中に配置され、該ネジ式プラグ部分に取り付けられた回路モジュールと、
前記ネジ式プラグ部分に螺合された接点とを有する、請求項１ないし７のいずれか１項に記載のＬＥＤランプ。
【考案の詳細な説明】
【技術分野】
【０００１】
本考案は、広角の照明を実現させるために球状に配置された複数の発光ダイオード（ＬＥＤ）を有するＬＥＤランプに関する。
【背景技術】
【０００２】
ＬＥＤ電球は、蛍光灯より消費電力が少ないが、放熱の問題のために用途が制限されている。熱が上昇するにつれて、ＬＥＤの効率及び耐久性が下がる。前記ＬＥＤ電球のＬＥＤは、１つの方向に光を放出し、比較的狭い領域を照らすだけである。比較的広い領域の照明を要する用途のために、前記ＬＥＤ電球は、必要とされる照明効果をもたらすことができない。
【考案の概要】
【考案が解決しようとする課題】
【０００３】
本考案は、上記の問題点を改善する、広域照明のためのＬＥＤランプを提供する。
【０００４】
本考案の目的は、照明領域を増すために複数のＬＥＤが球状に分布し、照明効率を確保するために、前記ＬＥＤにより発せられた熱を放散させることができる、広域照明のためのＬＥＤランプを提供することである。
【課題を解決するための手段】
【０００５】
本考案に係るＬＥＤランプは、ランプベースと、該ランプベースに取り付けられた基板組立体と、該基板組立体を覆い、前記ランプベースと係合するキャップとを有する。前記基板組立体は、交差する複数の基板を有する。複数のＬＥＤが、前記ＬＥＤランプが実質的に無方向かつ広角の照明をもたらすことを可能にする球形分布をなすように前記基板に取り付けられている。
【０００６】
本考案の他の目的、利点及び新規な特徴は、添付の図面に関する以下の詳細な説明からより明らかになる。
【図面の簡単な説明】
【０００７】
【図１】本考案に係るＬＥＤランプの分解斜視図。
【図２】本考案に係るＬＥＤランプの分解斜視図。
【図３Ａ】本考案に係るＬＥＤランプの第１基板の平面図。
【図３Ｂ】本考案に係るＬＥＤランプの第２基板の平面図。
【図３Ｃ】本考案に係るＬＥＤランプの第３基板の平面図。
【図３Ｄ】本考案に係るＬＥＤランプの第４基板の平面図。
【図４】本考案に係るＬＥＤランプの一部の断面図。
【考案を実施するための形態】
【０００８】
図１、２に示すように、ＬＥＤランプが、ランプベースと、基板組立体２０と、キャップ３０とを有する。
【０００９】
前記ランプベースは、取付け用ベース部材１１と、回路モジュール１２と、接点１３とを有する。取付け用ベース部材１１は、頂面と、底面と、複数のフック部分１１１と、中空のネジ式プラグ部分１１２とを有する。各フック部分１１１は前記頂面から上方へ突出している。ネジ式プラグ部分１１２は、前記底面に形成され、該底面から下方へ突出している。回路モジュール１２は、ネジ式プラグ部分１１２の中に配置され、該ネジ式プラグ部分に取り付けられている。接点１３はネジ式プラグ部分１１２に螺合されている。
【００１０】
図３Ａないし３Ｄに示すように、基板組立体２０は、複数の基板２１ａ、２１ｂ、２１ｃ、２１ｄと、該基板に取り付けられた複数の発光ダイオード（ＬＥＤ）２２とを有する。各基板２１ａ、２１ｂ、２１ｃ、２１ｄは、ラケット形であり、高い熱伝導性を有する。基板２１ａ、２１ｂ、２１ｃ、２１ｄは、ＬＥＤ取付け領域２３を有する、実質的に楕円形の上部と、該上部と一体をなし、前記上部から伸びる、実質的に細長い下部とを有する。ＬＥＤ２２は、好ましくは、基板２１ａ、２１ｂ、２１ｃ、２１ｄの同じ面における、ＬＥＤ取付け領域２３の周縁部に取り付けられている。基板２１ａ、２１ｂ、２１ｃ、２１ｄは、前記下部の相対する縁部から対称的に突出する複数のフィン２４を有する。
【００１１】
第１基板２１ａは、前記下部の下縁部からＬＥＤ取付け領域２３へ上下方向に伸びる１つのスロット２５０ａを有する。
【００１２】
第２基板２１ｂは、前記下部の下縁部から伸びる下方スロット２５０ｂと、ＬＥＤ取付け領域２３の上縁部から伸びる上方スロット２５１ｂとを有し、下方スロット２５０ｂの長さは上方スロット２５１ｂの長さより長い。
【００１３】
第３基板２１ｃは、前記下部の下縁部から伸びる下方スロット２５０ｃと、ＬＥＤ取付け領域２３の上縁部から伸びる上方スロット２５１ｃとを有し、下方スロット２５０ｃの長さは上方スロット２５１ｃの長さより短い。
【００１４】
第４基板２１ｄは、ＬＥＤ取付け領域２３の上縁部から伸びる１つのスロット２５０ｄを有する。
【００１５】
図４に示すように、４つの基板２１ａ、２１ｂ、２１ｃ、２１ｄは、実質的に円筒形の組立体を形成するように、スロット２５０ａ、２５０ｂ、２５１ｂ、２５０ｃ、２５１ｃ、２５０ｄを用いて組み合わされ、交差している。ＬＥＤ２２は回路モジュール１２により制御される。ＬＥＤ２２は、実質的に球状の分布をなすように、組み立てられた基板２１ａ、２１ｂ、２１ｃ、２１ｄのＬＥＤ取付け領域２３に取り付けられている。これにより、方向性の無い照明を実現させることができる。第１基板２１ａの前記下縁部及び第２基板２１ｂの前記下縁部のそれぞれは、組み立てられた基板２１ａ、２１ｂ、２１ｃ、２１ｄを取付け用ベース部材１１に固定するためにフック部分１１１と係合している。
【００１６】
キャップ３０は、実質的に電球形であり、基板組立体２０を覆うように前記ランプベースに取り付けられている。好ましくは、キャップ３０は、ＬＥＤ２２が外方へ光を放出することを許すために透明である。
【００１７】
ＬＥＤにより発せられた熱は、基板へ導かれ、早急に放散される。各基板が比較的広い領域と複数のフィンとを有するため、放熱効率を改善することができる。球状に分布するＬＥＤは、ＬＥＤランプが無方向の照明を実現させることを可能にする。これにより、より広い領域を照明することができる。
【符号の説明】
【００１８】
１１    取付け用ベース部材
１２    回路モジュール
１３    接点
２０    基板組立体
２１ａ、２１ｂ、２１ｃ、２１ｄ    基板
２２    発光ダイオード（ＬＥＤ）
２３    ＬＥＤ取付け領域
２４    フィン
３０    キャップ
１１１    フック部分
１１２    ネジ式プラグ部分
２５０ａ、２５０ｄ    スロット
２５０ｂ、２５０ｃ    下方スロット
２５１ｂ、２５１ｃ    上方スロット
【図１】
0003161215.tif 000003
【図２】
0003161215.tif 000004
【図３Ａ】
0003161215.tif 000005
【図３Ｂ】
0003161215.tif 000006
【図３Ｃ】
0003161215.tif 000007
【図３Ｄ】
0003161215.tif 000008
【図４】
0003161215.tif 000009